(57)【要約】【課題】従来の壁掛け式の工具収納装置は、工具を落下させる危険があったので、工具を落下させる危険のない壁掛け式の工具収納装置を提供する。【解決手段】パネルの係止孔に係止可能な係止爪を備えた工具保持具のほかに、同様な係止爪を備えた固定板を用い、固定板の係止爪を工具保持具の係止爪と反対方向に向けて、固定板と工具保持具の係止爪をパネルに係止し、その後工具保持具と固定板とを一体にする。【選択図】図２
2017071013.tif 000002
【特許請求の範囲】
【請求項１】
多数の係止孔を穿設したパネルと、パネルの係止孔に係止可能な係止爪及び工具を収容する切欠を備えた工具保持具と、パネルの係止孔に係止可能な係止爪を備えた固定板とを用い、パネル上の任意の位置に固定板と工具保持具とをこの順序に重ねて置き、固定板の係止爪を工具保持具の係止爪と反対方向に向け、それぞれの係止爪を異なった係止孔に挿入して固定板と工具保持具とをパネルに係止し、その後工具保持具を固定板に固定して両者を一体にして工具収納装置とし、工具保持具の切欠内に工具を収納することを特徴とする工具収納方法。
【請求項２】
多数の係止孔を穿設したパネルと、パネルの係止孔に係止可能な係止爪及び工具を収容する切欠を備えた工具保持具と、パネルの係止孔に係止可能な係止爪を備えた固定板とからなり、パネル上の任意の位置に固定板と工具保持具とを重ねて置き、固定板の係止爪を工具保持具の係止爪と反対方向に向け、それぞれの係止爪をパネルの係止孔に挿入して固定板と工具保持具とをパネルに係止し、その後工具保持具と固定板とを一体にすることを特徴とする工具収納装置。
【請求項３】
多数の係止孔を穿設したパネルと、パネルの係止孔に係止可能な係止爪及び工具を収容する切欠を備えた工具保持具と、パネルの係止孔に係止可能な係止爪を備えた固定板とからなり、パネル上の任意の位置に固定板と工具保持具とを重ねて置き、固定板の係止爪を工具保持具の係止爪と反対方向に向け、それぞれの係止爪をパネルの係止孔に挿入して固定板と工具保持具とをパネルに係止し、その後工具保持具と固定板とを一体にして工具収納装置とし、この装置の下部にキャスターを付設したことを特徴とする、工具収納ワゴン。
【請求項４】
前期工具保持具の切欠を先端で開口する馬蹄形とし、切欠の周縁に合成樹脂製の馬蹄形被覆物を付設し、被覆物は内面に内側へ突出する断面山形の突条を備えたものであることを特徴とする、請求項１に記載の工具収納方法又は請求項２に記載の工具収納装置又は請求項３に記載の工具収納ワゴン。
【請求項５】
前期の工具を収納する切欠を備えた平面が、切欠の開口がわで高くなり、水平面に対して角度０〜１０度の範囲内で傾斜していることを特徴とする、請求項１に記載の工具収納方法、又は請求項２に記載の工具収納装置又は請求項３又は４に記載の工具収納ワゴン。
【発明の詳細な説明】
【技術分野】
【０００１】
この発明は、工具収納方法に関するものであり、また一般にツーリングと呼ばれる工具収納装置に関するものである。また、この発明は、工具収納装置の下部にキャスターを付設して、工具収納装置を移動自在とした工具収納ワゴンに関するものである。工具収納ワゴンは、一般にツーリングワゴンと呼ばれている。
【背景技術】
【０００２】
工具収納装置は、機械工場などで、旋盤、フライス盤、ボール板などの工作機械に使用される種々の金属切削工具、いわゆるツールを、再使用に便利な状態で安全に収納するための装置である。
工具は、一般に図１の（ａ）に示したように、一端に金属を切削するための刃部Ｐを備え、他端に工作機械に取り付けるためのシャンク部Ｑを備え、刃部Ｐとシャンク部Ｑとの間に円板部Ｒを備えた構造にされている。工具円板部Ｒの外周には溝Ｗが付設されている。このうち、刃部Ｐは切削の目的に応じて形状と構造が大きく変わるから、工具は色々な形状を持つものとなる。
【０００３】
また、工具は刃部Ｐ以外の部分も色々な形状にされる。例えば、図１の（ｂ）に示したように、刃部Ｐと円板部Ｒとの間にチャック部Ｓが付加されて、工具は高さの大きいものとなる。さらに、チャック部Ｓは、高さがさまざまで、図１の（ｃ）に示したように高さの大きいものや、逆に小さいものがある。
【０００４】
一般に、工具は上記の各部が特殊鋼で作られて一体となったものである。従って、工具は重量が大きく、小形のものでも数キログラムの重量を持っている。そのため、取り扱いには大きな力が必要とされる。その上に、刃部Ｐは鋭利な刃先を持ち、刃先が固い他物に触れると損傷しやすく、刃先が損傷すると使用できなくなる。そのため、取り扱いには細心の注意を要する。
工具収納装置は、上述のように色々な形状の重量の大きい工具を、刃部Ｐを傷つけないように、また再使用に便利なように、容易に且つ効率よく収納できるものでなければならない。
【０００５】
工具収納装置としては色々な構造のものが提案されている。例えば、箱式、テーブル式、棚式、壁掛け式のものがある。そのうち、最も多いのは、棚式のものである。棚式のものは高さの揃った工具をまとめて１つの棚に収納するには便利であるが、高さの不揃いな工具を収納すると空きが多くなって、収納効率が悪くなる。壁掛け式のものは、この欠点を補ない高さの不揃いな工具を任意の場所に効率よく収納できるので便利である。ところが、壁掛け式の工具収納装置には満足なものがない。
【０００６】
特開平６−１４３１５９号公報は、壁掛け式の工具収納装置を記載している。この装置は、パネルに多数の係止部を設け、任意の係止部に物品保持具を係止させることができるとされるが、肝腎の係止機構については具体的な説明がない。しかし、図６ではパネル側に上方に向けて開口する係止溝１が記載されているところから判断すると、この係止機構は物品保持具がわに下方に向かう係止爪を設けて、係止爪を係止溝１内に挿入するだけだと考えられる。これでは、物品保持具に上向きの力が加えられると、物品保持具は容易にパネルから外れることになる。従って、この装置は工具を落下させる危険を孕んでいる。
【０００７】
登録実用新案第３０６２７５６号公報は、多数の係止孔を穿設したボードと、下向きフック状の係止爪を少なくとも２箇備えた取付金具とを用い、係止爪を係止孔に挿入して取付金具をボードに係止し、その後取付金具をボードにビス止めして、取付金具に工具を引掛けて収納する装置を記載している。しかし、ビスはねじ込んだ先が係止孔の縁に接触するだけだとされる。従って、取付金具はボードに強く固定されない。それゆえ、この装置も工具を落下させる危険を孕んでいる。
【先行技術文献】
【特許文献】
【０００８】
【特許文献１】特開平６−１４３１５９号公報
【特許文献２】登録実用新案第３０６２７５６号公報
【発明の概要】
【発明が解決しようとする課題】
【０００９】
上述のように、これまで提案された壁掛け式の工具収納装置は、工具を落下させる危険があって、安全に収納できるものではなかった。そこで、この発明は工具を落下させる危険がなく、安全に収納できる壁掛け式の工具収納装置を提供しようとするものである。
【課題を解決するための手段】
【００１０】
この発明者は、初めに、重量の大きい工具を壁掛け式で保管するには、工具保持具を上方に向かう係止爪と下方に向かう係止爪とによって、パネルに係止するのが有効であると考えた。しかし、１つの工具保持具に上向きの係止爪と下向きの係止爪とを設けたのでは、工具保持具をパネルに係止することができない。
【００１１】
そこで、この発明者は、工具保持具には上向きの係止爪だけを付設しておき、下向きの係止爪は別に用意した固定板によって提供することを考えた。すなわち、固定板には工具保持具に付設した同じ係止爪を付設しておき、固定板の係止爪を下向きにして、まず固定板をパネルに係止する。次いで、工具保持具を固定板に重ねて置き、工具保持具の上向きの係止爪をパネルの別の係止孔に挿入して、工具保持具をパネルに係止する。その後、工具保持具を押し上げて上向きの係止爪を上昇させて工具保持具と固定板とをビス止めして一体にする。このようにすると、組み立てられた装置では、工具保持具が上向きの係止爪と下向きの係止爪とによりパネルに固定された形になって、工具保持具は強固にパネルに固定され、従って工具を落下させる危険を無くすることができることを見出した。
【００１２】
また、この発明者は、工具保持具が工具を安定した形で保持するには、工具保持具に切欠を設け、切欠の縁辺が工具円板部の外周に設けられた溝Ｗ内に進入することにより、工具を保持するのが適していることを見出した。
この発明はこのような知見に基づいて完成されたものである。
この発明は、工具収納方法と工具収納装置とを含んでいる。
【００１３】
そのうちの工具収納方法は、多数の係止孔を穿設したパネルと、パネルの係止孔に係止可能な係止爪及び工具を収容する切欠を備えた工具保持具と、パネルの係止孔に係止可能な係止爪を備えた固定板とを用い、パネル上の任意の位置に固定板と工具保持具とをこの順序に重ねて置き、固定板の係止爪を工具保持具の係止爪と反対方向に向け、それぞれの係止爪を異なった係止孔に挿入して固定板と工具保持具とをパネルに係止し、その後工具保持具を固定板に固定して、両者を一体にして工具収納装置とし、工具保持具の切欠内に工具を収納することを特徴とするものである。
【００１４】
この発明に係る工具収納装置は、多数の係止孔を穿設したパネルと、パネルの係止孔に係止可能な係止爪及び工具を収容する切欠を備えた工具保持具と、パネルの係止孔に係止可能な係止爪を備えた固定板とからなり、パネル上の任意の位置に固定板と工具保持具とを重ねて置き、固定板の係止爪を工具保持具の係止爪と反対方向に向け、それぞれの係止爪をパネルの係止孔に挿入して固定板と工具保持具とをパネルに係止し、その後工具保持具と固定板とを一体にすることを特徴とするものである。
この発明に係る工具収納ワゴンは、上記の工具収納装置の下部にキャスターを付設して、工具収納装置を移動自在にしたものである。
【発明の効果】
【００１５】
この発明では、パネルと工具保持具のほかに固定板を用いるが、固定板には工具保持具と同様に、パネルの係止孔に係止可能な係止爪を付設したので、それぞれの係止爪を係止孔に挿入するだけで固定板と工具保持具とをパネルに容易に係止させることができる。
また、この発明では、パネルに多数の係止孔を穿設し、固定板と工具保持具に設けた係止爪はどの係止孔にも挿入できるようにしたので、パネル上の任意の位置に工具保持具と固定板とを係止させることができる。
また、この発明では、固定板の係止爪を工具保持具の係止爪と反対方向に向けてパネルに係止するので、固定板を工具保持具と重ねてパネルに係止させることができる。
【００１６】
この説明では、こうして固定板と工具保持具とを重ねた状態で、それぞれの係止爪を反対方向に向けて係止しているので、係止後に例えば、ビスをねじ込んで固定板と工具保持具とを容易に一体にすることができる。こうして一体にすると、工具保持具は反対方向に向く係止爪によりパネルに固定されることになる。従って、工具保持具は強固にパネルに固定されていることになる。その結果工具保持具は重量が大きい工具を安全に収納できることとなる。しかも、パネル上の任意の位置で工具を収納できることとなるから、その効果は大きい。
【図面の簡単な説明】
【００１７】
【図１】図１は、各種工具の側面図である。
【図２】図２は、この発明に係る工具収納ワゴンの組立前の状態を示す斜視図である。
【図３】図３は、組み立て状態を示すこの発明に係る他の工具収納装置の一部切欠斜視図である。
【図４】図４は、この発明で用いる工具保持具の分解斜視図である。
【図５】図５は、この発明に係る工具収納装置の一部切欠斜視図である。
【図６】図６は、工具が収納されたこの発明に係る工具収納装置の一部切欠正面図である。
【図７】図７は、工具が収納されたこの発明に係る工具収納装置の一部切欠側面図である。
【図８】図８は、工具が収納されたこの発明に係る工具収納装置の一部切欠正面図である。
【図９】図９は、別の工具保持具を係止したこの発明に係る工具収納装置の一部切欠斜視図である。
【図１０】図１０は、各種の工具を収納したこの発明に係る工具収納装置の一部切欠正面図である。
【発明を実施するための形態】
【００１８】
この発明を図面に示した実施の一例について説明すると、次のとおりである。
図２に示したツーリングワゴンは、パネル１を収容している装置本体Ａと、工具保持具２と、固定板３とで構成されている。
装置本体Ａは金属板を折曲して作られたコの字状の枠体Ｂの中にパネル１を収容しており、パネル１を立壁にしている。枠体Ｂは底板Ｃに固定され、支柱Ｄによって補強されて倒れないようにされている。底板Ｃの下面にはキャスターＥが付設されて、本体Ａは移動可能となっている。
【００１９】
パネル１は金属板、とくに鋼板で作られ、貫通する多数の係止孔１１を備えている。係止孔１１は、どのように配列されていてもよいが、好ましいのは、図２に示したように、等しい横長の長方形の係止孔が、縦及び横方向にそれぞれ直線状に並び、それぞれ等しい間隔をおいて配列されているものである。
【００２０】
工具保持具２は、金属板とくに鋼板を折曲して作られ、垂直片２１と水平片２２とがＬ字状に連なった形に一体とされている。垂直片２１の先端の両側には外側へ折曲された折曲片２１１が付設され、折曲片２１１の先には上方へ向かう係止爪２１２が付設されている。また、垂直片２１には開口窓２１３が穿設され、開口窓２１３の上端には下向きのＬ形鉤２１４が付設されている。
【００２１】
工具保持具２の水平片２２は、工具を収容するための切欠２２１を備えている。図２では、切欠２２１は丸孔とされているが、切欠２２１の形状はこれに限らない。
固定板３は、金属板とくに鋼板で作られ、下端の両側に折曲片３１を備え、折曲片３１の先に下方へ向かう係止爪３２を備えている。また、固定板３は工具保持具２の開口窓２１３に対応するところに上向きのＬ形鉤３３を備え、Ｌ形鉤３３は開口窓２１３から突出してＬ形鉤２１４と対向するようにされている。
上記の折曲片２１１と折曲片３１とは、何れもパネル１の厚みよりも大きい幅を持ち、パネル１の厚みの１０倍以下の幅を持っている。
【００２２】
図２に示したパネル１、工具保持具２及び固定板３は、次のように接続されて工具収納ワゴンを構成する。まず、固定板３の下向き係止爪３２をパネル１の任意の係止孔１１に挿入して、固定板３をパネル１に係止する。次いで、固定板３の上に工具保持具２の垂直片２１を重ね、上向きの係止爪２１２を別の係止孔１１へ挿入して工具保持具２をパネル１に係止させる。このとき、固定板３の上向きＬ形鉤３３が工具保持具２の開口窓２１３から突出し、Ｌ形鉤２１４と向き合う。そこでＬ形鉤３３とＬ形鉤２１４との間に楔４を通して工具保持具２を持ち上げると同時に固定板と一体にする。こうして工具収納ワゴンが完成される。
【００２３】
図３は別形状の固定板と工具保持具とを用いて、工具収納装置を組み立てる例を示している。
図３に示した固定板３は下端の両側に折曲片３１を備え、折曲片３１の先に下方へ向かう係止爪３２を備えている。また、固定板３はねじ孔３３を備えている。折曲片３１は固定板をパネルに係止したとき、固定板がパネルに密接することを容易にするためのものである。
【００２４】
図３に示した工具保持具２は、垂直片２１と水平片２２とからなり、垂直片２１の上端両側に折曲片２１１を備え、折曲片２１１の先に上向きの係止爪２１２を備えている。また、垂直片２１はねじ孔２１３を備えている。水平片２２は工具を収容するための切欠２２１を備えている。
【００２５】
図３ではまずパネル１に固定板３を係止する。それには固定板３の下向き係止爪３２をパネル１の任意の係止孔１１に挿入して、固定板３をパネル１に密着させる。次いで、工具保持具２の垂直片２１を固定板３に重ね、工具保持具の上向き係止爪２１２をパネル１の別の係止孔１１に挿入して、パネル１に係止する。このとき、工具保持具２がパネル１から離れて落下しそうであれば折曲片２１１の両端に小さな窪み２１１１を設けて、ここに係止孔の縦縁を嵌入させて落下を防ぐことができる。その後、工具保持具を持ち上げて折曲片２１１を係止孔１１の上縁に密接させ、この状態で、ねじ２３０をねじ孔２１３から固定板３のねじ孔３３へねじ込んで工具保持具２を固定板３と一体にする。こうして、工具収納装置が作られる。
【００２６】
図３に示した装置は、図２に示した装置と同様に、パネル１の係止孔１１に、固定板３に付設した下向き係止爪３２を挿入するとともに、工具保持具２に付設した上向き係止爪２１２を挿入して、固定板３と工具保持具２を係止する。
図３に示した固定板３と工具保持具２は、図２に示した固定板３と工具保持具２とは構造が異なっている。その点を以下に説明する。
【００２７】
まず、図３に示した工具保持具２は、水平片２２が両側に垂下片２２２を備えている。垂下片２２２は、水平片２２が工具の重量を受けて歪曲するのを防ぐ役目をしている。また、切欠２２１が水平片２２の先端で開口しており、馬蹄形（言いかえるとＵ字状）となっている。さらに、切欠２２１の縁には馬蹄形の被覆体２３が付設されている。
【００２８】
被覆体２３は、合成樹脂例えばポリプロピレンで作られた馬蹄形の成形体である。被覆体２３の外面には図４に示したように、馬蹄形に延びる溝２２３１が形成されている。溝２２３１は水平片２２の切欠２２１の縁を嵌入させて、被覆体２３を水平片２２に固定している。
【００２９】
また、被覆体２３は馬蹄形の内面に内側へ突出する断面山形の突条２２３２を備えている。突条２２３２は、工具円板部Ｒの外周に付設された溝Ｗ内へ嵌まり込むことができ、溝Ｗの内面に密接する形状とされる。
被覆体２３は、溝２２３１内へ水平片２２の切欠縁を嵌入させて工具保持具２に係止されたのち、止め具２０を孔２２３３から水平片の孔２２３へ押し込むことによって、工具保持具２に固定される。
【００３０】
止め具２０は図４に示したように、一端に膨出する頭２０１を備え、他端に弾性的に膨らむ係止部２０２を備えている。係止部２０２０は円筒状であるが、その円筒が軸方向の分割線によって分割され、断面が円弧状を呈する複数箇の係止片によって形成されている。そこで、止め具２０は係止片をすぼめて孔２２３３へ押し込むことができ、押し込むと孔２２３３及び孔２２３内で膨らみ、固定の役目をする。なお、止め具２０は、図３に示したねじ２３０の代わりに使用することができる。
【００３１】
図５は、パネル１に固定板３を係止し、固定板３の上に工具保持具２の垂直片２１を重ねて工具保持具をパネル１に係止し、その後ビス２３０をねじ込んで工具収納装置とした状態を示している。工具収納装置は馬蹄形の被覆体２２３を備えているから、この中に工具円板部Ｒの溝Ｗを挿入することにより、工具を容易に且つ安全に収納することができる。
図６は、工具収納装置が刃部Ｐを上に向けて工具を収納した状態を示している。工具は円板部Ｒの溝Ｗ内に馬蹄形被覆体２３の内側に形成された突条２２３２を嵌め込んで安定な状態で収納されている。
【００３２】
図７は、工具を収納したこの発明に係る工具収納装置の側面図である。図７では、固定板３は下向きの係止爪３２をパネル１の係止孔１１に挿入して係止されている。また、工具保持具２は垂直片２１を固定板３に重ね、上向きの係止爪２１２を係止孔１１′に挿入して係止されている。こうして係止したあとで、図４に示したように、垂直片２１に設けた孔２１３から固定板３に設けた孔３３へ止め具２０を押し込んで、工具保持具２を固定板３と一体にしている。こうして工具保持具２は、逆向きの係止爪２１２と係止爪３２によりパネルに固定されているから、パネルへの固定は強固である。
【００３３】
また、図７は、工具保持具２が工具を安定に収納するためには、収納された工具が軸を垂直に向けて収納されるよりも、頭を僅かにパネルがわへ傾けて収納されることが好ましいことを示している。具体的には、工具が軸を垂直からパネルがわへ角度１０度までの範囲内で傾けているようにすることが好ましい。この状態を実現するためには工具保持具の被覆体２３の上面が水平面に対して角度０〜１０度の範囲内で開口がわで高くなるように傾斜することが好ましい。
【００３４】
この発明に係る工具収納装置では、被覆体の内面上に形成された馬蹄形に延びる突条を工具円板部Ｒの溝Ｗに嵌入させて工具を収納するところ、溝Ｗは上下に対称形になっているので、工具は刃部Ｐを上に向けて収納できるだけでなく、刃部Ｐを下に向けて収納することもできる。図８は、図６及び図７とは違って刃部Ｐを下に向けて収納できることを示している。
【００３５】
これまでは工具保持具として１箇の工具を収容するものだけを例に取って説明してきたが、この発明では２箇以上の工具をまとめて収容できる工具保持具を用いることもできる。図９は、２箇の工具を収容できる工具保持具の例を示している。２箇以上の工具を収容できる工具保持具が１箇の工具を収容する工具保持具と同様に使用できることは云うまでもない。
【００３６】
図１０は、この発明に係る工具収納装置では工具をパネル上の希望するところに、刃部Ｐを上に向けても、逆に下に向けても容易に収納できることになる。図１０はこのことを示しており、パネル1上の任意の位置に工具の刃部Ｐを上に向け又は下に向けて収納できる状態を示している。工具は、円板部Ｒを境にして、上の部分と下の部分とが高さを大きく変えることが多いので、刃部を上に向けても下に向けても収納できることは、収納装置の限られた空間を効率よく使用して収納できる点で、大きな利益を与える。従って、この発明は実用上の価値が大きい。
【符号の説明】
【００３７】
Ａ                   装置本体
Ｂ                   枠体
Ｃ                   底板
Ｄ                   支柱
Ｅ                   キャスター
Ｐ                   工具の刃部
Ｑ                   工具のシャンク部
Ｒ                   工具の円板部
Ｓ                   工具のチャック部
Ｗ                   工具の円環状溝
１                   パネル
２                   工具保持具
３                   固定板
４                   楔
１１                 係止孔
２０                 止め具
２１                 垂直片
２２                 水平片
２３                 被覆体
２２２               垂下片
２０１               止め具２０の頭
２０２               止め具２０の係止部
２１１、３１         折曲片
２１２、３２         係止爪
２１３、３３         ねじ孔
２３０               ねじ
２２１、２３１       切欠
２１１１             窪み
２２３１             被覆体２３の溝
２２３、２２３３     孔
【図１】
2017071013.tif 000003
【図２】
2017071013.tif 000004
【図３】
2017071013.tif 000005
【図４】
2017071013.tif 000006
【図５】
2017071013.tif 000007
【図６】
2017071013.tif 000008
【図７】
2017071013.tif 000009
【図８】
2017071013.tif 000010
【図９】
2017071013.tif 000011
【図１０】
2017071013.tif 000012